(57)【要約】【課題】  衛星ナビゲーションシステムの精度性能を検査する方法およびシステムを提供する。【解決手段】  本発明は、特に衛星ジオメトリに関して、観測状態によらず、精度レベルを満たすことを保証できる衛星ナビゲーションシステムの精度性能を検査する方法およびシステムに関する。  本発明は、衛星ナビゲーションシステムの設計、検査、および認定のための性能検査ツールである。【選択図】      図１
2011191300.tif 000002
【特許請求の範囲】
【請求項１】
無線標定信号を受信機セグメントに送信する宇宙セグメントを備える衛星ナビゲーションシステムの位置精度性能を検査する方法であって、
複数のサンプルについて、前記システムの受信機の位置の推定誤差を測定することと、前記複数のサンプルについて、前記システムによって保証可能な（保護半径と呼ばれる）最大位置誤差閾値を計算することとを行う先行ステップであって、前記推定誤差および前記保護半径は、位置座標系の一次元において定義される先行ステップと、
以下の条件、すなわち、
ｉ．前記保護半径（ＸＰＬ）はアラート閾値（Ｊ）より小さいこと、
ｉｉ．前記保護半径を前記推定位置誤差で割った商（ＸＰＬ／ＸＮＳＥ）が、推定誤差の要求レベル（Ｋ）に対する前記アラート閾値（Ｊ）の比である安全商（Ｊ／Ｋ）より大きいこと
を満たすサンプルの第１の比率（１）を計算するステップと、
以下の条件、すなわち、
ｉ．前記保護半径（ＸＰＬ）は、前記アラート閾値（Ｊ）より小さいこと、
ｉｉ．前記保護半径を前記推定位置誤差で割った前記商（ＸＰＬ／ＸＮＳＥ）は、前記安全商（Ｊ／Ｋ）より小さいこと、
ｉｉｉ．前記推定位置誤差（ＸＮＳＥ）は、推定誤差の前記要求レベル（Ｋ）より小さいこと
を満たすサンプルの第２の比率（２）を計算するステップと、
前記第１のサンプル比率（１）および前記第２のサンプル比率（２）を要求比率と比較することにより、前記衛星ナビゲーションシステムの前記精度性能を検査する検査ステップと、
を含むことを特徴とする方法。
【請求項２】
以下の条件、すなわち、
ｉ．前記保護半径（ＸＰＬ）は、前記アラート閾値（Ｊ）より小さいこと、
ｉｉ．前記保護半径を前記推定位置誤差で割った前記商（ＸＰＬ／ＸＮＳＥ）は、前記安全商（Ｊ／Ｋ）より小さいこと、
ｉｉｉ．前記推定位置誤差（ＸＮＳＥ）は、推定誤差の前記要求レベル（Ｋ）より大きいこと
を満たすサンプルの第３の比率（３）を計算するステップをさらに含むことを特徴とする、請求項１に記載の方法。
【請求項３】
以下の条件、すなわち、
ｉ．前記保護半径（ＸＰＬ）は、前記アラート閾値（Ｊ）より大きいこと、
ｉｉ．前記推定位置誤差（ＸＮＳＥ）は、推定誤差の前記要求レベル（Ｋ）より大きいこと
を満たすサンプルの第４の比率（４）を計算するステップをさらに含むことを特徴とする、請求項１または２のいずれか一項に記載の方法。
【請求項４】
以下の条件、すなわち、
ｉ．前記保護半径（ＸＰＬ）は、前記アラート閾値（Ｊ）より大きいこと、
ｉｉ．前記推定位置誤差（ＸＮＳＥ）は、推定誤差の前記要求レベル（Ｋ）より小さいこと
を満たすサンプルの第５の比率（５）を計算するステップをさらに含むことを特徴とする、請求項１〜３のいずれか一項に記載の方法。
【請求項５】
前記サンプル比率（１〜５）は、推定位置誤差の少なくとも２つの要求レベルについて計算されることを特徴とする、請求項１〜４のいずれか一項に記載の方法。
【請求項６】
前記サンプル比率（１〜５）は、少なくとも２つのアラート閾値について計算されることを特徴とする、請求項１〜５のいずれか一項に記載の方法。
【請求項７】
前記第１のサンプル比率（１）が、ユーザに対するナビゲーションサービスによって保証されなければならない要求比率より大きい場合は、前記ナビゲーションシステムが、推定位置誤差の前記要求レベルに関連付けられたサービスレベルを満たしていることが、ユーザに対して保証されることを特徴とする、請求項１に記載の方法。
【請求項８】
請求項１〜７のいずれか一項に記載の方法を実施できることを特徴とする、衛星ナビゲーションシステムの位置精度性能を検査するシステム。
【請求項９】
衛星ナビゲーションシステムの受信機についての測位サンプルをチャートに表す表示手段であって、前記チャートは、
第１の軸（１０）上に、位置座標系の一次元において定義される、前記保護半径（ＸＰＬ）を前記推定位置誤差（ＸＮＳＥ）で割った商を表し、
第２の軸（１１）上に、前記保護半径（ＸＰＬ）を表し、
前記推定位置誤差（ＸＮＳＥ）の固定要求レベル（Ｋ）に対する前記推定位置誤差を表す、第１の直線（１３）を表し、
前記保護半径（ＸＰＬ）のアラート閾値（Ｊ）を表す、第２の直線（１２）を表す、
前記表示手段を備えることを特徴とする、請求項８に記載のシステム。
【請求項１０】
前記複数のサンプルは、前記第１のサンプル比率（１）および前記第２のサンプル比率（２）に応じた表示コードに従って前記チャートに表示されることを特徴とする、請求項９に記載のシステム。
【発明の詳細な説明】
【技術分野】
【０００１】
本発明は、衛星ナビゲーションシステムの分野に関し、特に、そのようなシステムの精度性能を検査する方法に関する。
【背景技術】
【０００２】
現在、衛星ナビゲーションシステムを利用した商用サービスがかなり拡大しつつある。無線標定信号に基づいて動作する製品が、日常生活の中で広く利用できるようになってきており、道路ナビゲーション支援のための自動車内利用から始まって、最近では、多数の個人用サービスのために携帯電話装置内でも利用されている。次世代衛星測位システム（たとえば、ＧＡＬＩＬＥＯ  Ｅｕｒｏｐｅａｎシステム）への発展に向けて、性能が現在のシステムより格段に高くなることが予想される。このように、かつては信頼性や測位精度が十分でないために構想できなかった新しいサービスが、今日では、企業、特に道路輸送会社や航空輸送会社にとって構想可能なものになっている。たとえば、道路輸送においては、有料道路区間の運用に関するサービスの経済モデルを、顧客ごとに個人化された条件を提案することにより変化させる取り組みが進行中である。航空輸送会社においては、信頼性および測位精度に関する性能が向上すれば、操縦士が全面的に頼りにできるナビゲーション装置を航空機に組み込むことが可能になる。これらの装置により、航空輸送の安全性をかなり向上させることが可能になる。しかしながら、人間の安全がかかっているサービスについては、測位システムから送信されたデータの信頼性を実証することが必須である。したがって、衛星ナビゲーションシステムの事業者は、最終顧客への保証されたサービスに関する要件が当局によって課せられている。
【０００３】
衛星ナビゲーションシステムは、完全性、精度、およびカバレージに関する性能データによって特徴づけられる。完全性は、衛星測位システムから提供される情報における確かさの尺度である。提供されたポイントの完全性を定量するツールとして、Ｓｔａｎｆｏｒｄチャートがよく知られている。Ｓｔａｎｆｏｒｄチャートは、２次元マトリックスであって、横軸の入力パラメータは、垂直方向または水平方向に観測された位置誤差であり、縦軸の入力パラメータは、統計モデルに基づいて垂直方向または水平方向に計算された保護レベルである。このチャートにより、観測された位置誤差が保護レベルより低い測定サンプルの比率を検査することが可能である。
【０００４】
位置の精度は、実際の位置に対して推定された位置誤差で定義される。位置の精度は、特に、ユーザと受信された衛星群との間の推定距離の誤差、ならびに測定のジオメトリの構成に依存する。測定のジオメトリの状態を表す値として、一般にＤＯＰ（精度劣化度（Ｄｉｌｕｔｉｏｎ  ｏｆ  Ｐｒｅｃｉｓｉｏｎ））と呼ばれている値がある。ＤＯＰ値が高い場合、これは、位置の取得に用いられた衛星群が近くにあるためにジオメトリが良くないことを表している。ＤＯＰ値が低い場合、これは、位置の取得に用いられた衛星群が遠くにあるためにジオメトリが良いことを表している。
【０００５】
民間航空に関連する規制や検査を担当する機関は、特に、重要なサービスのための精度性能については、厳格なレベルの性能を要求する。衛星測位システムの地理位置情報（ジオロケーション）データを利用する、これらの重要なサービスのうち、ＬＰＶ２００サービス（「Ｌｏｃａｌｉｚｅｒ  Ｐｅｒｆｏｒｍａｎｃｅ  ｗｉｔｈ  Ｖｅｒｔｉｃａｌ  Ｇｕｉｄａｎｃｅ」）は、衛星測位システムの示す位置誤差が、少なくとも９５％の時間において、垂直方向に４メートル未満、水平方向に１６メートル未満であることを要求する。さらに、このサービスは、垂直方向の位置誤差が１０メートルを超える確率が正常状態では１０−７未満であること、ならびに位置誤差が１５メートルを超える確率が、劣化状態では１０−５未満であることを要求する。このサービスが関連付けられたアラートレベルは、垂直方向で３５メートル、水平方向で４０メートルである。
【０００６】
保証された精度レベルは、（特に測定ジオメトリに関して）既知のサンプリング条件でサンプルを測定することによって取得されてきた。ところで、これらの要求レベルをユーザに対して保証できる精度測定ツールは、現時点では存在しない。これは、精度性能が衛星ジオメトリにも依存するためであり、収集されたデータが、ユーザごとのすべての場合の衛星ジオメトリを考慮しているわけではないためである。
【０００７】
米国の衛星測位システムのサービス事業者が、精度レベルを各ユーザに保証し、衛星ジオメトリのすべての構成を考慮に入れるために実装したソリューションが、長期間にわたってデータを収集することであった。すべての場合の衛星ジオメトリの観測が完了したことを断言できるようにするために、３年間にわたって衛星データが収集されてきた。しかしながら、この方式は、かなりのリソースを結集する点が不利であり、さらに、すべての場合を観測することが可能になったことを保証するものではない。
【発明の概要】
【発明が解決しようとする課題】
【０００８】
本発明の目的は、衛星測位システムがユーザごとの重要アプリケーションから課せられた要件を満たすことを、無線標定信号の観測状態によらずに検証できるように、衛星測位システムの精度性能を検査するツールを提供することである。
【課題を解決するための手段】
【０００９】
より正確には、本発明は、無線標定信号を受信機セグメントに送信する宇宙セグメントを含む衛星ナビゲーションシステムの位置精度性能を検査する方法に関する。本方法は、以下のステップを含む。
複数のサンプルについて、上記システムの受信機の位置の推定誤差を測定することと、それらのサンプルについて、上記システムによって保証可能な（保護半径と呼ばれる）最大位置誤差閾値を計算することとを行う先行ステップであって、推定誤差および保護半径は、位置座標系の一次元において定義される先行ステップ。
以下の条件、すなわち、
ｉ．保護半径はアラート閾値より小さいこと、
ｉｉ．保護半径を推定位置誤差で割った商が、推定誤差の要求レベルに対する前記アラート閾値の比である安全商より大きいこと
を満たすサンプルの第１の比率を計算するステップ。
以下の条件、すなわち、
ｉ．保護半径はアラート閾値より小さいこと、
ｉｉ．保護半径を推定位置誤差で割った商は、安全商より小さいこと、
ｉｉｉ．推定位置誤差は、推定誤差の要求レベルより小さいこと
を満たすサンプルの第２の比率を計算するステップ。
第１および第２のサンプル比率を要求比率と比較することにより、衛星ナビゲーションシステムの精度性能を検査する検査ステップ。
【００１０】
サンプル比率という表現は、一組の観測されたサンプルのうちの、サンプルの数を意味すると理解されたい。
【００１１】
第１のサンプル比率が、ユーザに対するナビゲーションサービスによって保証されなければならない要求比率より大きい場合は、上記ナビゲーションシステムが、推定位置誤差の要求レベルに関連付けられたサービスレベルを満たしていることが、ユーザに対して保証される。
【００１２】
好ましくは、本方法はさらに、以下の条件、すなわち、
ｉ．保護半径はアラート閾値より小さいこと、
ｉｉ．保護半径を推定位置誤差で割った商は、安全商より小さいこと、
ｉｉｉ．推定位置誤差は、推定誤差の要求レベルより大きいこと
を満たすサンプルの第３の比率を計算するステップを含む。
【００１３】
好ましくは、本方法はさらに、以下の条件、すなわち、
ｉ．保護半径はアラート閾値より大きいこと、
ｉｉ．推定位置誤差は、推定誤差の要求レベルより大きいこと
を満たすサンプルの第４の比率を計算するステップを含む。
【００１４】
好ましくは、本方法はさらに、以下の条件、すなわち、
ｉ．保護半径はアラート閾値より大きいこと、
ｉｉ．推定位置誤差は、推定誤差の要求レベルより小さいこと
を満たすサンプルの第５の比率を計算するステップを含む。
【００１５】
有利なことに、上記サンプル比率は、推定位置誤差の少なくとも２つの要求レベルについて計算される。
【００１６】
有利なことに、上記サンプル比率は、少なくとも２つのアラート閾値について計算される。
【００１７】
本発明はまた、上記変形形態のいずれか１つに従う、衛星ナビゲーションシステムの位置精度性能を検査する方法を実施できる任意のシステムに関する。
【００１８】
有利なことに、本システムは、衛星ナビゲーションシステムの受信機についての測位サンプルをチャートに表す表示手段を備え、このチャートは、
第１の軸上に、位置座標系の一次元において定義される、保護半径を推定位置誤差で割った商を表し、
第２の軸上に、保護半径を表し、
推定位置誤差の固定要求レベルに対する推定位置誤差を表す、第１の直線を表し、
保護半径のアラート閾値を表す、第２の直線を表す。
【００１９】
有利なことに、それらのサンプルは、第１および第２のサンプル比率に応じた表示コードに従ってチャートに表示される。
【００２０】
本検査方法は、所与のサービスを行う衛星ナビゲーション支援システムが期待要件を満たすことを検査することを可能にし、測位データのサンプルの調査が検査を確実に通る場合に、これを行う。一方、それらの要件は、衛星ジオメトリに関しては、信号の観測状態によらず、満たされることが確実である。したがって、本検査方法を実施するシステムを用いることにより、精度性能を検査するツールを、リソースを用いずに（ただし、現象的リソースまで）、計算および測定に導入することが可能になり、これによって、さらに、すべての衛星ジオメトリ構成を保証することが可能になる。受信機についての測位サンプルに対する検査結果に従い、所与の保護半径のアラート閾値に関して、すべての衛星ジオメトリ構成が満たされていることをアサートすることが可能であり、これは、先行技術のソリューションにはなかったことである。サンプル比率の大部分が、チャート中の、衛星ジオメトリの劣化によって推定位置誤差が保護半径のアラート閾値を超えるであろうゾーンに位置している場合は、このアラート閾値で制限されている重要サービスに位置測定を利用できないため、精度性能を求めることは有用ではない。
【００２１】
以下の非限定的な説明ならびに以下の図を参照することにより、本発明がよりよく理解され、他の利点が明らかになるであろう。
【図面の簡単な説明】
【００２２】
【図１】衛星ナビゲーション支援システムが精度性能に関して期待要件を満たすことを検査することを可能にするチャートの形で、検査方法を示す図である。
【発明を実施するための形態】
【００２３】
衛星ナビゲーションシステムの無線標定信号を利用するサービス提供者は、これらのシステムに対し、一方では、より高い性能を常に期待し、他方では、サービスの連続性と、性能が期待要件を満たさない場合にサービスのユーザに警告することを可能にするアラート機能とを期待する。性能を検査するソリューションとして現在あるのは、ユーザごとの信号の観測状態によらず、衛星ナビゲーションシステムの完全性を検査するものである。しかし、精度性能の検査に関しては、既存のツールは、すべての観測状態での完全性を保証できるわけではない。これは、各ユーザが利用する無線標定信号が、各ユーザの位置、観測の時点、および各ユーザの位置を計算するために見える衛星群の状態に依存する特定の構成におけるものであるためである。
【００２４】
衛星ナビゲーションシステムの測位の原理について簡単に振り返る。衛星ナビゲーションシステムでは、衛星と測位対象の受信機との間の距離（擬似距離という）を測定するために、この衛星から送信された無線標定信号がこの受信機に到達する所要時間を用いる。無線標定信号には、衛星群の位置データが含まれる。ユーザから見えるいくつかの衛星から送信された無線標定信号の処理に基づいて、ユーザは、自分の位置を突き止めることが可能である。衛星の数が多いほど、また、ＤＯＰの値が低いほど、位置の精度が良くなる。精度は、特に、衛星の配置、衛星のクロックの精度パラメータ、横切る大気層、および、なされる訂正の精度に依存する。
【００２５】
レベルＬＰＶ２００のサービスの要求性能は、次のとおりである。衛星ナビゲーションシステムが少なくとも９５％の時間において示す位置誤差は、垂直方向に４メートル未満、水平方向に１６メートル未満であることが必要である。さらに、このサービスでは、垂直方向の位置誤差が１０メートルを超える確率が正常状態では１０−７未満であること、ならびに位置誤差が１５メートルを超える確率が、劣化状態では１０−５未満であることが必要である。ＬＰＶ２００サービスレベルは、水平方向に４０メートルのアラート閾値を課し、垂直方向に３５メートルのアラート閾値を課す。
【００２６】
本発明は、無線標定信号の観測状態によらず、そのような精度性能の保証を可能にする、精度性能の検査方法を提案し、また、位置、垂直方向または水平方向の位置に関する他の任意のレベルの要件を満たすように本方法を構成することを可能にする。図１は、一組のサンプルを精度に関して検査するために実行される計算をグラフィカルに表している。
【００２７】
図は、衛星ナビゲーションシステムの受信機についての測位サンプルのチャートを表している。図は、第１の軸（水平方向）１０上で、計算された最大誤差閾値（一般には保護半径と呼ばれており、今後、本明細書では記述を簡単にするためにこの用語を使用する）を、推定位置誤差で割った商を表しており、この商は、参照符号ＸＰＬ／ＸＮＳＥで表示されており、位置座標系の一次元において定義されている。保護半径を推定位置誤差で割った商が垂直座標系で表されていれば、この商は、値ＶＰＬ／ＶＮＳＥで表され、水平面では、ＨＰＬ／ＨＮＳＥで表されていることになる。保護半径ＸＰＬは、計算アルゴリズムで求められる。
【００２８】
保護半径は、当業者に周知の各種方式に従って求めることが可能であり、この方式の選択は、本発明の枠組において、特許の範囲の制限を構成するものではない。たとえば、保護半径は、衛星ナビゲーションシステムの完全性レベルに基づいて求めることが可能である。保護半径は、所与の面内の、実際の位置の周囲の可能な位置群を表しており、より厳密には、計算された位置が、所与の面内の、実際の位置プラス保護レベルを超えて位置する可能性がないことが計算によって保証される。
【００２９】
推定位置誤差ＸＮＳＥは、各種手段によって正確に知られる、受信機の実際の位置と、衛星から送信された無線標定信号の処理に基づいて推定された位置との差である。たとえば、衛星ナビゲーションシステムの一部をなすＧＢＡＳ型（「ｇｒｏｕｎｄ−ｂａｓｅｄ  ａｕｇｍｅｎｔａｔｉｏｎ  ｓｙｓｔｅｍ（地上型補強システム）」の略）の受信ビーコンの位置は、正確に知られている。推定位置誤差は、当業者に周知の各種方式に従って求めることが可能であり、この方式の選択は、本発明の枠組において、特許の範囲の制限を構成するものではない。
【００３０】
位置誤差の要求レベルＫは、ナビゲーションシステムが９５％の時間において超えてはならない位置誤差に相当する。指標となる例として、誤差の要求レベルは、サービスの重要度に応じて、サンプルの９５％において４メートル、正常状態で、１×１０−７の確率で１０メートル、劣化状態で、１×１０−５の確率で１５メートルなどであってよい。要求レベルは、位置座標系の次元に応じて様々であってよい。
【００３１】
チャートは、第２の軸（垂直方向）１１上で、保護半径ＸＰＬを表している。したがって、チャートは、水平方向には、保護半径ＸＰＬを位置誤差ＸＮＳＥで割った商の関数として、垂直方向には、保護半径の関数として、チャート内に位置する測位データサンプルを表している。アラート閾値Ｊは、直線１２でチャート内にグラフィカルに表されており、推定誤差の要求レベルＫは、直線１３で表されている。クレームに記載された、精度性能を検査する方法では、チャートの各種カテゴリに属するサンプルの比率を計算する。各種カテゴリは、以下の各段落で定義されている。精度性能を測定するという困難な課題は、ユーザごとに、ＤＯＰ値から評価される衛星ジオメトリに依存することを思い起こされたい。チャート表現の利点は、ＤＯＰの変化を表示できることである。この変化は、チャートでは、サンプルの垂直方向の動きで特徴づけられる。ＤＯＰ衛星ジオメトリ値が増えると、データサンプルは、チャートの垂直方向上方にシフトする。実際、ＤＯＰ値が増えると、保護半径は増えるが、商ＸＰＬ／ＸＮＳＥは、ＤＯＰに依存しないので一定している。位置の領域では、保護半径ＸＰＬは、ＤＯＰ×完全性の乗算に等しく、位置誤差は、ＤＯＰ×擬似距離誤差の乗算に等しい。ＤＯＰ値が減ると、保護半径は減り、データサンプルは、垂直方向下方にシフトする。
【００３２】
本検査方法で計算される第１のカテゴリ１は、次の２つの条件を満たすサンプルを含む。２つの条件は、保護半径ＸＰＬがサービスのアラート閾値Ｊより小さいこと、ならびに、保護半径を推定位置誤差で割った商ＸＰＬ／ＸＮＳＥが安全商Ｊ／Ｋより大きいことである。安全商は、推定誤差の要求レベルＫに対するアラート閾値Ｊの比である。これらのデータサンプルについては、ＤＯＰの変化に際し、ジオメトリ状態が劣化した場合にはサンプルが垂直方向上方にシフトし、ジオメトリ状態が改善した場合には下方にシフトすることが推定される。結果として、このカテゴリ１にあるサンプルは、ＤＯＰによらず、位置誤差要件を満たしており、ＤＯＰが劣化して位置誤差要件Ｋを満たさなくなった場合、サンプルは、サービスが要求するアラート閾値Ｊを必ず超える。したがって、これは、誤差の要求レベルが満たされていて、ＤＯＰによらず、確実に満たされていること、あるいは、要求レベルが満たされていなくて、とにかく、アラート閾値を超えているためにナビゲーションサービスが使用不能であることを知らせる。したがって、計算されたサンプルが、観測されたＤＯＰ状態において、カテゴリ１の条件を満たす場合、精度性能は、ユーザのＤＯＰ観測状態によらず、満たされている。したがって、本方法により、すべての観測状態を測定しなくても、精度性能を判定することが可能である。
【００３３】
第２のカテゴリ２は、次の３つの条件を満たすサンプルを含む。３つの条件は、保護半径ＸＰＬがアラート閾値Ｊより小さいこと、保護半径を推定位置誤差で割った商ＸＰＬ／ＸＮＳＥが安全商Ｊ／Ｋより小さいこと、ならびに、推定位置誤差ＸＮＳＥが推定誤差の要求レベルＫより小さいことである。これらのデータサンプルからは、位置誤差の要求レベルが潜在的に満たされていることが推定される。しかしながら、初期ＤＯＰ値の状態では初期誤差が低かったのに対して、ＤＯＰ値が増えると、特定のサンプルについての位置誤差が推定誤差の要求レベルＫより大きくなる可能性がある。カテゴリ２にあるサンプルを計算することにより、既知の観測状態について、精度性能が満たされているかどうかが判定される。しかしながら、すべてのユーザについてこれを保証することは不可能であり、特に、サンプルの測定条件より劣化した観測状態で自身を測位するユーザについては不可能である。
【００３４】
第３のカテゴリ３は、次の３つの条件を満たすサンプルを含む。３つの条件は、保護半径ＸＰＬがアラート閾値Ｊより小さいこと、保護半径を推定位置誤差で割った商ＸＰＬ／ＸＮＳＥが安全商Ｊ／Ｋより小さいこと、ならびに、推定位置誤差ＸＮＳＥが推定誤差の要求レベルＫより大きいことである。これらのデータサンプルからは、位置誤差の要求レベルが満たされていないことが推定される。しかしながら、初期ＤＯＰ値の状態では初期誤差が高かったのに対して、ＤＯＰ値が減ると、特定のサンプルについての位置誤差が推定誤差の要求レベルＫより小さくなる可能性がある。衛星ジオメトリが劣化した場合、性能は、保護半径がアラート閾値を満たさなくなるほどになる可能性がある。その場合は、このナビゲーションシステムを使用してはならず、ユーザには警告が出される。
【００３５】
第４のカテゴリ４は、次の２つの条件を満たすサンプルを含む。２つの条件は、保護半径ＸＰＬがアラート閾値Ｊより大きいこと、ならびに、推定位置誤差ＸＮＳＥが推定誤差の要求レベルＫより大きいことである。これらのデータサンプルでは、保護半径ＸＰＬがアラート閾値Ｊより大きい。この部分のサンプル比率が高い場合、これは、ユーザサービスには危険すぎるほど、測位が不確実であることを示しているので、このナビゲーションシステムを使用してはならない。この場合、システムは、これらのサンプルには使用できないと見なされる。
【００３６】
第５のカテゴリ５は、次の２つの条件を満たすサンプルを含む。２つの条件は、保護半径ＸＰＬがアラート閾値Ｊより大きいこと、ならびに、推定位置誤差ＸＮＳＥが推定誤差の要求レベルＫより小さいことである。このカテゴリに位置するサンプルの比率が高い場合、位置誤差ＸＮＳＥは要求レベルＫを満たしているものの、保護半径ＸＰＬがアラート閾値Ｊより大きいため、このナビゲーションシステムを使用することができない。
【００３７】
この、精度性能を検査する方法は、位置測位誤差を測定する手段と、保護半径を計算する手段とを含むシステムによって実施される。このシステムは、衛星ナビゲーションシステムのメンテナンスに特化されており、地上局のシステムの一部をなす。精度性能に関するシステム動作の監視および分析は、サンプルカテゴリ１から５をチャートに表示し、測定調査サンプルの比率を各カテゴリに表示することにより、簡単化される。アラート手段、ならびに、各カテゴリのサンプル比率と、好ましくは、カテゴリ１のサンプル比率とを比較する手段により、ＤＯＰ状態によらず、精度が満たされているかどうかを認証することが可能になる。したがって、すべてのＤＯＰ状態を観測することは必須ではない。表示手段は、各カテゴリにおけるサンプルの比率に応じて、衛星ナビゲーションシステムの動作および性能を表す色分けでサンプルを表示する。
【００３８】
本発明は、衛星ナビゲーションシステムのメンテナンスシステムに適用され、より正確には、衛星ナビゲーションシステムの性能を追跡するツールに適用される。本発明は、あらゆる衛星測位システム（たとえば、米国のシステムであるＧＰＳ（「Ｇｌｏｂａｌ  Ｐｏｓｉｔｉｏｎｉｎｇ  Ｓｙｓｔｅｍ」）や、欧州の次世代システムであるＧＡＬＩＬＥＯ）、ならびに性能補強システム（ＥＧＮＯＳ（「Ｅｕｒｏｐｅａｎ  Ｇｅｏｓｔａｔｉｏｎａｒｙ  Ｎａｖｉｇａｔｉｏｎ  Ｏｖｅｒｌａｙ  Ｓｅｒｖｉｃｅ」））に適用される。
【符号の説明】
【００３９】
１  第１のカテゴリ
２  第２のカテゴリ
３  第３のカテゴリ
４  第４のカテゴリ
５  第５のカテゴリ
１０  第１の軸（水平方向）
１１  第２の軸（垂直方向）
１２  直線（アラート閾値Ｊ）
１３  直線（推定誤差の要求レベルＫ）
【図１】
2011191300.tif 000003
【外国語明細書】
2011191300000001.pdf